(57)【要約】【課題】設置スペースに影響されることなく確実に設置でき、安定性があり、しかも設置作業も容易な釣竿支持具を提供する。【解決手段】防波堤１２に被せて設置可能な釣竿支持具１０であって、長さ調整可能で、防波堤１２の上に跨がって載せる主フレーム１３と、主フレーム１３の先側上部及び基側上部にそれぞれ設けられ、釣竿１１を配置可能な先側釣竿支持台２９及び基側釣竿支持台５８と、主フレーム１３の先側下部に設けられ、防波堤１２の外側面４４に当接する先側垂直パッド４５を備えた先側挟持部３７と、主フレーム１３の基側下部に設けられ、防波堤１２の内側面６８に当接する基側垂直パッド６９を進退可能に有する締結機構７０を備えた基側挟持部６４とを有する。【選択図】        図１
2004337103.tif 000002
【特許請求の範囲】
【請求項１】
防波堤に被せて設置可能な釣竿支持具であって、
長さ調整可能で、前記防波堤の上に跨がって載せる主フレームと、
前記主フレームの先側上部及び基側上部にそれぞれ設けられ、釣竿を配置可能な先側釣竿支持台及び基側釣竿支持台と、
前記主フレームの先側下部に設けられ、前記防波堤の外側面に当接する先側垂直パッドを備えた先側挟持部と、
前記主フレームの基側下部に設けられ、前記防波堤の内側面に当接する基側垂直パッドを進退可能に有する締結機構を備えた基側挟持部とを有することを特徴とする釣竿支持具。
【請求項２】
請求項１記載の釣竿支持具において、前記主フレームは、フレーム本体と、該フレーム本体の先側に進退可能に取付け固定された移動フレーム部と、前記フレーム本体の基側に取付け固定された固定フレーム部と、前記フレーム本体と前記移動フレーム部とを所定位置でロックするスライドロック機構とを有し、
前記移動フレーム部に前記先側釣竿支持台及び前記先側挟持部が設けられ、前記固定フレーム部に前記基側釣竿支持台及び前記基側挟持部が設けられていることを特徴とする釣竿支持具。
【請求項３】
請求項２記載の釣竿支持具において、前記先側釣竿支持台及び前記基側釣竿支持台は、前記移動フレーム部及び前記固定フレーム部にそれぞれ回動自在に取付けられ、使用時においては、前記先側釣竿支持台及び前記基側釣竿支持台を立設状態に配置して前記釣竿を配置し、不使用時においては、前記先側釣竿支持台及び前記基側釣竿支持台を前記フレーム本体側に倒すことを特徴とする釣竿支持具。
【請求項４】
請求項２及び３のいずれか１項に記載の釣竿支持具において、前記フレーム本体の両内側側部にはそれぞれガイド溝が設けられ、前記移動フレーム部及び前記固定フレーム部の両外側側部には、前記ガイド溝内を移動可能な摺動部がそれぞれ設けられていることを特徴とする釣竿支持具。
【請求項５】
請求項２〜４のいずれか１項に記載の釣竿支持具において、前記スライドロック機構は、前記移動フレーム部の長手方向に渡って設けられた多数の凹凸を備えるラックと、前記フレーム本体の先部に設けられ、前記ラックが備える多数の凹凸の一部に係合可能な凹凸部を備えた係止部とを有することを特徴とする釣竿支持具。
【請求項６】
請求項２〜５のいずれか１項に記載の釣竿支持具において、前記移動フレーム部の下側には、前記防波堤の上面に当接する水平パッドが設けられ、前記主フレームには、該主フレームと交差する方向に配置され、その下側端部に前記防波堤に当接する滑り止めパッドを備えた補助アームが設けられていることを特徴とする釣竿支持具。
【請求項７】
請求項１〜６のいずれか１項に記載の釣竿支持具において、前記締結機構は、前記基側垂直パッドの幅方向に渡って配置され、その軸心を中心として回動可能となった傾転ロッドと、該傾転ロッドの長手方向中央部にその先端部が回転自在に取付け固定された締め付けボルトとを有することを特徴とする釣竿支持具。
【請求項８】
請求項７記載の釣竿支持具において、前記基側挟持部と前記基側垂直パッドとの間には、前記基側挟持部に対する前記基側垂直パッドの回転を抑制する弾性部材が設けられていることを特徴とする釣竿支持具。
【請求項９】
請求項１〜８のいずれか１項に記載の釣竿支持具において、前記先側釣竿支持台には、該先側釣竿支持台の視認性を良好にする発光塗料が塗布されていることを特徴とする釣竿支持具。
【発明の詳細な説明】
【０００１】
【発明の属する技術分野】
本発明は、釣竿を支持するための釣竿支持具であって、特に防波堤の設置に適した釣竿支持具に関する。
【０００２】
【従来の技術】
一般に、防波堤等で海釣りをする場合、釣人は、長い時間にわたって釣竿を手で保持しなければならず、疲れが生じる。
このため従来は、三脚の上部に横方向に竿支えシャフトを取付けた釣竿支持具が用いられており、この竿支えシャフトに釣竿を支持させ、釣竿の基端部に石などを載せて釣竿を固定していた。また、特許文献１には、水を入れたバケツを支持台に吊して重りとし、この支持台に釣竿を固定する釣竿支持具が提案されていた。
【０００３】
【特許文献１】
特開２００２−３３０６８２号公報
【０００４】
【発明が解決しようとする課題】
しかしながら、竿支えシャフトを取付けた釣竿支持具は、竿支えシャフトが三脚に取付けられるため、三脚を配置可能なスペースが必要であり、配置スペースが制限される場合においては、釣竿支持具を使用できない恐れがあった。また三脚は、防波堤に載置するものであり、防波堤に設置して固定するものではないため、例えば波の影響や、大物の魚のあたりがきた場合等においては、釣竿と共に釣竿支持具も海中へ落ちる恐れがあった。
また、特許文献１のような、水を入れたバケツを支持台に吊した釣竿支持具は、上記した釣竿支持具よりも安定性は良くなるが、やはり釣竿と共に釣竿支持具が海中へ落ちる恐れがあり、またバケツに水を入れたりする作業が必要となるため、釣竿支持具の設置時における作業性が悪い。
本発明はかかる事情に鑑みてなされたもので、設置スペースに影響されることなく確実に設置でき、安定性があり、しかも設置作業も容易な釣竿支持具を提供することを目的とする。
【０００５】
【課題を解決するための手段】
前記目的に沿う第１の発明に係る釣竿支持具は、防波堤に被せて設置可能な釣竿支持具であって、
長さ調整可能で、前記防波堤の上に跨がって載せる主フレームと、
前記主フレームの先側上部及び基側上部にそれぞれ設けられ、釣竿を配置可能な先側釣竿支持台及び基側釣竿支持台と、
前記主フレームの先側下部に設けられ、前記防波堤の外側面に当接する先側垂直パッドを備えた先側挟持部と、
前記主フレームの基側下部に設けられ、前記防波堤の内側面に当接する基側垂直パッドを進退可能に有する締結機構を備えた基側挟持部とを有する。
このように、主フレームは長さ調整可能となっているので、例えば防波堤の厚み等の設置スペースに影響されることなく、釣竿支持具を防波堤に設置できる。
また、主フレームは、防波堤の上に跨がって、しかも締結機構により防波堤に設置されるので、防波堤への設置を安定に、かつ確実に行うことができる。なお、釣竿支持具の防波堤への設置は、締結機構によって行うので、設置作業が容易である。
【０００６】
前記目的に沿う第２の発明に係る釣竿支持具は、第１の発明に係る釣竿支持具において、前記主フレームは、フレーム本体と、該フレーム本体の先側に進退可能に取付け固定された移動フレーム部と、前記フレーム本体の基側に取付け固定された固定フレーム部と、前記フレーム本体と前記移動フレーム部とを所定位置でロックするスライドロック機構とを有し、
前記移動フレーム部に前記先側釣竿支持台及び前記先側挟持部が設けられ、前記固定フレーム部に前記基側釣竿支持台及び前記基側挟持部が設けられている。
ここで、スライドロック機構とは、フレーム本体と移動フレーム部との相対位置を決定し、その状態を維持するためのものであり、所定位置とは、主フレームが防波堤を跨ぐことが可能な長さとなる移動フレームの引き出し位置、即ち防波堤の厚みに対応した位置を示している。
このように、主フレームの長さ調整は、例えば、予めフレーム本体に固定フレーム部を取付け固定し、防波堤の厚みに応じて移動フレーム部をフレーム本体に対し相対移動させ、スライドロック機構によってロックして行うので、簡単な構成で行うことができる。
【０００７】
前記目的に沿う第３の発明に係る釣竿支持具は、第２の発明に係る釣竿支持具において、前記先側釣竿支持台及び前記基側釣竿支持台は、前記移動フレーム部及び前記固定フレーム部にそれぞれ回動自在に取付けられ、使用時においては、前記先側釣竿支持台及び前記基側釣竿支持台を立設状態に配置して前記釣竿を配置し、不使用時においては、前記先側釣竿支持台及び前記基側釣竿支持台を前記フレーム本体側に倒す。
このように、先側釣竿支持台及び基側釣竿支持台は、移動フレーム部及び固定フレーム部にそれぞれ回動自在に取付けられているので、釣竿支持具をコンパクトにできる。
【０００８】
前記目的に沿う第４の発明に係る釣竿支持具は、第２及び第３の発明に係る釣竿支持具において、前記フレーム本体の両内側側部にはそれぞれガイド溝が設けられ、前記移動フレーム部及び前記固定フレーム部の両外側側部には、前記ガイド溝内を移動可能な摺動部がそれぞれ設けられている。
このように、フレーム本体のガイド溝内に、移動フレーム部及び固定フレーム部の摺動部が配置され、主フレームの長手方向にかかる曲げ荷重を、移動フレーム部及び固定フレーム部と、フレーム本体とで共有できるので、主フレームの長手方向の曲げ強度を高めることができる。
【０００９】
前記目的に沿う第５の発明に係る釣竿支持具は、第２〜第４の発明に係る釣竿支持具において、前記スライドロック機構は、前記移動フレーム部の長手方向に渡って設けられた多数の凹凸を備えるラックと、前記フレーム本体の先部に設けられ、前記ラックが備える多数の凹凸の一部に係合可能な凹凸部を備えた係止部とを有する。
このように、ラックと係止部とを有するスライドロック機構により、フレーム本体と移動フレーム部とを所定位置で固定できるので、フレーム本体に対する移動フレーム部の位置決定を、簡単な構成で行うことができる。
【００１０】
前記目的に沿う第６の発明に係る釣竿支持具は、第２〜第５の発明に係る釣竿支持具において、前記移動フレーム部の下側には、前記防波堤の上面に当接する水平パッドが設けられ、前記主フレームには、該主フレームと交差する方向に配置され、その下側端部に前記防波堤に当接する滑り止めパッドを備えた補助アームが設けられている。
このように、移動フレーム部の下端部に水平パッドが設けられているので、防波堤に対する主フレームの横滑りを抑制できる。
また、主フレームには、この主フレームと交差する方向に補助アームが設けられているので、釣竿支持具の安定性を高めて横倒れを防止でき、しかも補助アームに設けられた滑り止めパッドにより主フレームの横滑りも防止できる。
【００１１】
前記目的に沿う第７の発明に係る釣竿支持具は、第１〜第６の発明に係る釣竿支持具において、前記締結機構は、前記基側垂直パッドの幅方向に渡って配置され、その軸心を中心として回動可能となった傾転ロッドと、該傾転ロッドの長手方向中央部にその先端部が回転自在に取付け固定された締め付けボルトとを有する。
このように、締結機構は、傾転ロッドと締め付けボルトとを有しているので、例えば、防波堤への釣竿支持具の取付け時に締め付けボルトを締めることで、防波堤の傾斜角度に応じて基側垂直パッドが傾き、防波堤の傾斜角度に影響されることなく、防波堤への釣竿支持具の固定を確実に行うことができる。
【００１２】
前記目的に沿う第８の発明に係る釣竿支持具は、第７の発明に係る釣竿支持具において、前記基側挟持部と前記基側垂直パッドとの間には、前記基側挟持部に対する前記基側垂直パッドの回転を抑制する弾性部材が設けられている。
ここで、弾性部材としては、例えば、圧縮（つる巻き）ばね等を使用できる。
このように、固定フレーム部の基側挟持部と基側垂直パッドとの間に、弾性部材を設けるので、例えば防波堤への釣竿支持具の設置時において、基側垂直パッドの回転が抑制されると共に、基側垂直パッドに対してある程度の自由度が備えられた状態で、締め付けボルトの締め付け作業を行うことができる。
【００１３】
前記目的に沿う第９の発明に係る釣竿支持具は、第１〜第８の発明に係る釣竿支持具において、前記先側釣竿支持台には、該先側釣竿支持台の視認性を良好にする発光塗料が塗布されている。
ここで、発光塗料としては、例えば、紫外線などの光をあてておいて光エネルギーを化学的に蓄積し、光がなくなっても長時間にわたって発光し続けることが可能な従来公知の蓄光塗料を使用できる。
このように、先側釣竿支持台には発光塗料が塗布されているので、例えば、夜間、暗所等においても、先側釣竿支持台への釣竿の載置を容易に行うことができる。
【００１４】
【発明の実施の形態】
続いて、添付した図面を参照しつつ、本発明を具体化した実施の形態につき説明し、本発明の理解に供する。
ここに、図１は本発明の一実施の形態に係る釣竿支持具の斜視図、図２は同釣竿支持具の使用状態の説明図、図３は同釣竿支持具の主フレームの部分断面図、図４は同釣竿支持具の移動フレーム部の正面図、図５（Ａ）は同釣竿支持具の先側釣竿支持台の正面図、（Ｂ）は変形例に係る先側釣竿支持台の正面図、図６（Ａ）、（Ｂ）、（Ｃ）はそれぞれ本発明の一実施の形態に係る釣竿支持具のスライドロック機構の側面図、平面図、変形例に係る平面図、図７（Ａ）は同釣竿支持具の締結機構の正面図、（Ｂ）は図１のａ−ａ矢視断面図、図８（Ａ）、（Ｂ）はそれぞれ本発明の一実施の形態に係る釣竿支持具の補助アームの背面図、側面図である。
【００１５】
図１、図２に示すように、本発明の一実施の形態に係る釣竿支持具１０は、例えば海釣りに使用する釣竿１１を支持するためのものであり、防波堤１２に被せて設置可能な構成となったものである。なお、釣竿支持具１０の大部分は、アルミニウム合金等の軽量の金属で構成され、例えば持ち運びが便利なように軽量化が図られていると共に、海水による耐腐食性にも優れたものとなっている。以下、詳しく説明する。
【００１６】
図１〜図３に示すように、釣竿支持具１０は、長さ調整可能な主フレーム１３を有し、この主フレーム１３が、フレーム本体１４と、このフレーム本体１４の先側に進退可能に取付け固定された移動フレーム部１５と、フレーム本体１４の基側に取付け固定された固定フレーム部１６とを有している。この主フレーム１３の長さは、例えば０．５〜３ｍの範囲で調整可能となっており、防波堤１２の上に跨がって載せることができる。
図１、図３に示すように、フレーム本体１４は、長手方向に渡ってその断面形状が凹状となっており、その両内側側部１７、１８にはそれぞれガイド溝１９、２０が設けられている。このガイド溝１９、２０は、フレーム本体１４の高さ方向の下端部に設けられているが、フレーム本体１４の両内側側部１７、１８であれば、その高さ方向中央部、又は高さ方向上端部に設けることも可能である。
図１に示すように、フレーム本体１４の外側面には、フレーム本体１４の長手方向に渡って、例えば、釣った魚の体長を測定可能なスケール２１が設けられている。また、図１、図２に示すように、フレーム本体１４の基側下部には、ゴム製で複数の凹凸を有する基側水平パッド２２が設けられている。
【００１７】
図１〜図４に示すように、移動フレーム部１５は、フレーム本体１４の長さより短く（例えば、フレーム本体１４の長さの１／３〜１／２程度）、その両外側側部２３、２４にフレーム本体１４のガイド溝１９、２０内を移動可能な摺動部２５、２６が設けられている。なお、この摺動部２５、２６の高さ方向の位置は、ガイド溝１９、２０の位置に応じて変える。
これにより、フレーム本体１４内で移動フレーム部１５を移動させることができるので、防波堤１２の厚みに応じてその位置を調整できる。
また、主フレーム１３の先部となる移動フレーム部１５の下部には、ゴム製で複数の凹凸を備え、移動フレーム部１５の両側に突出し、防波堤１２の上面に当接する水平パッド２７が取付けられている。
【００１８】
そして、図４、図５（Ａ）に示すように、主フレーム１３の先側上部、即ち移動フレーム部１５の上部には、釣竿１１を配置可能なＵ字状となった１つの支持部２８を備える先側釣竿支持台２９が設けられている。ここで、支持部２８の周辺部には、支持部２８の視認性を良好にする発光塗料（例えば、夜光塗料）３０を塗布することができる。なお、図５（Ｂ）に示すように、二股に分かれたその先部に、上記した支持部２８をそれぞれ１個ずつ、合計２個設けた先側釣竿支持台３１を使用することも可能である。
【００１９】
図１、図４、図５（Ａ）に示すように、先側釣竿支持台２９の基部３２は逆凹状となっており、この基部３２が、移動フレーム部１５の先部に設けられ凸状となった固定台３３に、ピン３４を介して回動自在に固定されている。なお、固定台３３は、フレーム本体１４側へかけて、移動フレーム部１５の上面へ向かって傾斜している。このため、先側釣竿支持台２９の立設時においては、基部３２の凹み部３５と、固定台３３の突出部３６とが接触し、先側釣竿支持台２９がフレーム本体１４の上面から例えば１００度の範囲で回動自在になっている。
【００２０】
図１、図４に示すように、主フレーム１３の先側下部、即ち移動フレーム部１５の下部には、先側挟持部３７が設けられている。
この先側挟持部３７の基部３８は、移動フレーム部１５に設けられた逆凹状となった固定台３９に、ピン４０を介して回動自在に固定されている。なお、固定台３９の一方側、即ち先側挟持部３７の傾倒側には、傾倒角度制御板４１が設けられ、先側挟持部３７の傾倒時（図４中の二点鎖線）においては、先側挟持部３７の一側部４２が傾倒角度制御板４１の下端に当接して更なる傾倒を防止し、また先側挟持部３７の立設時（図４中の実線）においては、先側挟持部３７の一側部４２が傾倒角度制御板４１の側面４３に当接するため、先側挟持部３７が、フレーム本体１４の下面から例えば９０度の範囲で回動自在に設けられている。
図１に示すように、先側挟持部３７の先部（立設時の下部）には、ゴム製で複数の凹凸を備え、防波堤１２の外側面（海側面）４４に当接する先側垂直パッド４５が取付けられている。
【００２１】
また、図１、図３、図４、図６（Ａ）、（Ｂ）に示すように、主フレーム１３には、フレーム本体１４と移動フレーム部１５とを所定位置でロックするスライドロック機構４６が設けられている。
このスライドロック機構４６は、移動フレーム部１５の一方側の側部に、その長手方向に渡って設けられた多数の凹凸を備えるラック４７と、フレーム本体１４の先部に設けられ、ラック４７が備える多数の凹凸の一部に係合可能な凹凸部４８を備えた係止部４９とを有する。
この係止部４９は、フレーム本体１４の先部周囲を取り囲むように取付けられたケーシング５０に、常時は係止部４９の凹凸部４８がラック４７の凹凸の一部に係合する方向にばね５１で付勢された状態で、回動自在に取付けられている（図６（Ｂ）中の実線参照）。また、係止部４９には操作部５２が設けられ、この操作部５２を操作することで、係止部４９の凹凸部４８とラック４７の凹凸との係合状態を解除することができる（図６（Ｂ）中の二点鎖線参照）。
なお、図６（Ｃ）に示すように、平面視して主フレーム１３の先側へ向かって傾斜した多数の凹凸を備えるラック４７ａと、この凹凸の一部に係合する傾斜した凹凸部４８ａを備える係止部４９ａとを使用して、係止部４９ａの凹凸部４８ａとラック４７ａの凹凸との係合状態を、更に高めることもできる。
【００２２】
図１〜図３に示すように、固定フレーム部１６は、フレーム本体１４の長さより短く（例えば、フレーム本体１４の長さの１／３〜１／２程度）、その両外側側部５３、５４にフレーム本体１４のガイド溝１９、２０内を移動可能な摺動部５５、５６が設けられている。なお、この摺動部５５、５６の高さ方向の位置は、ガイド溝１９、２０の位置に応じて変える。
これにより、フレーム本体１４内で固定フレーム部１６を移動させた後、固定できる。
【００２３】
そして、図１、図２に示すように、主フレーム１３の基側上部、即ち固定フレーム部１６の上部には、釣竿１１を保持可能なＣ字状となった１つの保持部５７を備える基側釣竿支持台５８が設けられている。なお、保持部５７の周辺部には、前記した先側釣竿支持台２９の支持部２８と同様、発光塗料を塗布することが可能であり、また、先側釣竿支持台２９の支持部２８の数に応じて、基側釣竿支持台５８の保持部５７の数を設定する。
図１に示すように、基側釣竿支持台５８の基部５９は逆凹状となっており、この基部５９が、固定フレーム部１６の基部に設けられ凸状となった固定台６０に、ピン６１を介して回動自在に固定されている。なお、固定台６０の一方側、即ちフレーム本体１４側は、固定フレーム部１６の上面へ向かって傾斜し、固定台６０の他方側は略水平な上面を有している。このため、基側釣竿支持台５８の立設時においては、基部５９の凹み部６２と、固定台６０の突出部６３とが接触し、基側釣竿支持台５８がフレーム本体１４の上面から例えば１００度の範囲で回動自在になっている。
【００２４】
主フレーム１３の基側下部、即ち固定フレーム部１６の下部には、基側挟持部６４が設けられている。
この基側挟持部６４は、固定フレーム部１６の下面に対して実質的に直角に配置され、しかも固定フレーム部１６と基側挟持部６４との接続部分の幅方向両側には、補強板６５、６６がそれぞれ取付け固定されている。なお、この補強板６５、６６は、部分的に膨らみ部６７を有する立体構造となっており、例えば、固定フレーム部１６と基側挟持部６４とのなす角が、直角よりも大きくなるような荷重が加わった場合においても、取付けた状態（直角）を維持できるように構成されている。
【００２５】
図７（Ａ）、（Ｂ）に示すように、基側挟持部６４の先部（立設時の下部）には、防波堤１２の内側面（陸側面）６８に当接する基側垂直パッド６９を進退可能に配置する締結機構７０が設けられている。なお、基側垂直パッド６９は、ゴム製で複数の凹凸を備えるパッド本体７１と、このパッド本体７１が取付けられるパッド固定部７２とを有している。また、基側挟持部６４の下部には、その厚み方向両側に補強板７３、７４がそれぞれ設けられている。
この締結機構７０は、基側垂直パッド６９の幅方向に渡って配置される傾転ロッド７５と、この傾転ロッド７５に回転自在に取付け固定される締め付けボルト７６とを有している。この傾転ロッド７５は、パッド固定部７２の両側に突出し、この突出した部分に、パッド固定部７２の外側からワッシャー７７を介して止め輪（スナップリング）７８が取付けられている。これにより、パッド固定部７２に対して傾転ロッド７５が、その軸心を中心として回動可能に固定される。
なお、傾転ロッド７５は、パッド固定部７２の下側に設けられているので、例えば、傾転ロッド７５をパッド固定部７２の中央部又は上側に設けた場合と比較して、防波堤１２の内側面６８に当接させたパッド本体７１が、内側面６８から外れにくくなっている。
【００２６】
この傾転ロッド７５の長手方向中央部には、その先端部が回転自在に取付け固定された締め付けボルト７６が設けられている。この締め付けボルト７６は、基側挟持部６４及び各補強板７３、７４の厚み方向に設けられた雌ねじ部７９に螺合し、しかもその基端部には、操作部８０が回動軸８１を介して回動自在に固定されている。
また、基側挟持部６４とパッド固定部７２との間には、基側挟持部６４に対する基側垂直パッド６９の回転を抑制する圧縮ばね（弾性部材の一例）８２が設けられている。この圧縮ばね８２は、自由状態では伸びた状態を維持しているため、例えば、防波堤の内側面６８が傾斜した状態であっても、パッド本体７１が内側面６８に当接してその状態を維持できるように、基側垂直パッド６９を傾斜させることができる。
【００２７】
図１、図８（Ａ）、（Ｂ）に示すように、主フレーム１３には、この主フレーム１３と実質的に直角に交差する方向に補助アーム８３が設けられている。
補助アーム８３は、板状となって主フレーム１３の両側に突出した補助アーム本体８４と、フレーム本体１４の外形に対応した形状を備え、補助アーム本体８４にボルトを介して取付けられる取付け部８５とを有している。
この補助アーム本体８４の下側両端部には、ゴム製で複数の凹凸を備える滑り止めパッド８６、８７がそれぞれ設けられ、防波堤１２に当接した後の横滑りを抑制、更には防止することが可能になっている。また、補助アーム本体８４の上側両端部には、釣竿１１を立て掛け可能なＵ字状の立て掛け部８８、８９が、その開口部分９０、９１を主フレーム１３の基側に向けて取付けられている。これにより、各開口部９０、９１に釣竿１１を立て掛けることができる。
【００２８】
続いて、前記した本発明の一実施の形態に係る釣竿支持具１０の使用方法について、図２を参照しながら説明する。
まず、先側釣竿支持台２９、基側釣竿支持台５８、及び先側挟持部３７が、フレーム本体１４の上面及び下面にそれぞれ倒された不使用状態の釣竿支持具１０を、防波堤１２上に取り出し、主フレーム１３の長さ調整を行う（図４中の二点鎖線参照）。
ここで、固定フレーム部１６は、予めフレーム本体１４に取付け固定されているため、先側挟持部３７を移動フレーム部１５に対して立設状態にし、防波堤１２の厚みよりも主フレーム１３の長さが長くなるように、スライドロック機構４６を用いてフレーム本体１４に対して移動フレーム部１５を相対移動させた後、主フレーム１３を防波堤１２の上に跨いで載せる。
なお、防波堤１２の厚みが厚く、主フレーム１３が防波堤１２に跨がることができない場合、また防波堤１２の厚みが薄く、主フレーム１３の先側挟持部３７の先側垂直パッド４５が防波堤１２の外側面４４に当接可能な位置まで接近できない場合は、フレーム本体１４に対して固定フレーム部１６を相対移動させて固定し、主フレーム１３の長さを調整することもできる。
【００２９】
次に、固定フレーム部１６に設けられた基側垂直パッド６９を防波堤１２の内側面６８に当接させた状態で、スライドロック機構４６を操作し、移動フレーム部１５を主フレーム１３の基側に近づける。ここで、先側垂直パッド４５を防波堤１２の外側面４４に当接させた後、スライドロック機構４６の操作部５２を自由状態にして、ラック４７と係止部４９とを係合させ、その状態を維持する。
そして、締結機構７０の操作部８０を用いて、基側垂直パッド６９を防波堤１２の内側面６８に押し付け、防波堤１２への釣竿支持具１０の設置を終了する。
なお、釣竿支持具１０を防波堤１２に設置した後は、先側釣竿支持台２９及び基側釣竿支持台５８をそれぞれ立設状態にして、支持部２８及び保持部５７に釣竿１１を配置する（図１参照）。このとき、釣竿１１は、補助アーム８３の立て掛け部８８、８９に立て掛けることも可能である。
また、釣竿保持具１０の使用が終了した後は、上記した手順を順次逆に行って収納する。
【００３０】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の釣竿支持具を構成する場合も本発明の権利範囲に含まれる。
また、前記実施の形態においては、釣竿支持具を防波堤に設置し固定した場合について説明したが、釣竿支持具が設置可能な場所、即ち先側挟持部と基側挟持部とで挟持できる突出部分を備えた場所である例えば岸壁等に設置し固定して、釣竿支持具を使用することも可能である。
【００３１】
そして、前記実施の形態においては、主フレームを、フレーム本体と、フレーム本体の先側に進退可能に取付け固定される移動フレーム部と、フレーム本体の基側に取付け固定される固定フレーム部とで構成した場合について説明した。しかし、フレーム本体の先側及び基側に、移動フレーム部と略同様の構成となったフレームをそれぞれ設けることも、また、固定フレーム部と略同様の構成となったフレームをそれぞれ設けることも可能である。
前記実施の形態においては、ゴム製の各パッドの形状を、複数の凹凸を備えた形状とした場合について説明したが、例えば、円形、楕円形、矩形、又は多角形となった複数（多数）の突起部を備えた形状とすることも可能である。これにより、パッドの当接部分に対する滑り止め効果を更に高めることができるので、防波堤に対して安定して釣竿支持具を固定できる。
更に、前記実施の形態においては、主フレームに直角に交差する補助アームを設けた場合について説明したが、主フレームに対して補助アームが交差すれば、そのなす角が鋭角又は鈍角であってもよい。なお、補助アームは、主フレームのいずれか一方側のみに設けることも可能である。
【００３２】
【発明の効果】
請求項１〜９記載の釣竿支持具においては、主フレームは長さ調整可能となっているので、例えば防波堤の厚み等の設置スペースに影響されることなく、釣竿支持具を防波堤に設置でき、この釣竿支持具に釣竿を配置できる。
また、主フレームは、防波堤の上に跨がって、しかも締結機構により防波堤に設置されるので、防波堤への設置を安定に、かつ確実に行うことができ、従来のように、釣竿支持具が釣竿と共に海中へ落ちる恐れがなくなる。なお、釣竿支持具の防波堤への設置は、締結機構によって行うので、設置作業が容易で、操作性が良好である。
【００３３】
特に、請求項２記載の釣竿支持具においては、例えば、予めフレーム本体に固定フレーム部を取付け固定し、防波堤の厚みに応じて移動フレーム部をフレーム本体に対し相対移動させ、スライドロック機構によってロックして、主フレームの長さ調整を行えるので、簡単な構成で長さ調整が可能になり、操作性が良好である。
請求項３記載の釣竿支持具においては、釣竿支持具をコンパクトにできるので、その持ち運びを便利にでき、しかも収納性も良好にできる。
請求項４記載の釣竿支持具においては、主フレームの長手方向の曲げ強度を高めることができるので、例えばかかる荷重に対する耐久性を高めた釣竿支持具を提供できる。
【００３４】
請求項５記載の釣竿支持具においては、フレーム本体に対する移動フレーム部の位置決定を、簡単な構成で行うことができ、操作性が良好になる。
請求項６記載の釣竿支持具においては、移動フレーム部の下端部に水平パッドが設けられているので、防波堤に対する主フレームの横滑りを抑制でき、また主フレームには、この主フレームと交差する方向に補助アームが設けられているので、釣竿支持具の安定性を高めて横倒れを防止でき、しかも補助アームに設けられた滑り止めパッドにより主フレームの横滑りも防止できる。これにより、防波堤へ設置した釣竿支持具の安定性を更に高めることができる。
請求項７記載の釣竿支持具においては、締結機構によって防波堤の傾斜角度に影響されることなく、防波堤への釣竿支持具の固定を確実に行うことができるので、設置時における安定性を高めた釣竿支持具を提供できる。
【００３５】
請求項８記載の釣竿支持具においては、弾性部材によって、基側垂直パッドの回転が抑制されると共に、基側垂直パッドに対してある程度の自由度が備えられた状態で、締め付けボルトの締め付け作業を行うことができるので、防波堤に対する釣竿支持具の設置を確実に行うことができる。
請求項９記載の釣竿支持具においては、先側釣竿支持台には発光塗料が塗布されているので、例えば、夜間、暗所等においても、先側釣竿支持台への釣竿の載置を容易に行うことができ、使用環境に影響されることなく釣竿支持具を使用できる。
【図面の簡単な説明】
【図１】本発明の一実施の形態に係る釣竿支持具の斜視図である。
【図２】同釣竿支持具の使用状態の説明図である。
【図３】同釣竿支持具の主フレームの部分断面図である。
【図４】同釣竿支持具の移動フレーム部の正面図である。
【図５】（Ａ）は同釣竿支持具の先側釣竿支持台の正面図、（Ｂ）は変形例に係る先側釣竿支持台の正面図である。
【図６】（Ａ）、（Ｂ）、（Ｃ）はそれぞれ本発明の一実施の形態に係る釣竿支持具のスライドロック機構の側面図、平面図、変形例に係る平面図である。
【図７】（Ａ）は同釣竿支持具の締結機構の正面図、（Ｂ）は図１のａ−ａ矢視断面図である。
【図８】（Ａ）、（Ｂ）はそれぞれ本発明の一実施の形態に係る釣竿支持具の補助アームの背面図、側面図である。
【符号の説明】
１０：釣竿支持具、１１：釣竿、１２：防波堤、１３：主フレーム、１４：フレーム本体、１５：移動フレーム部、１６：固定フレーム部、１７、１８：内側側部、１９、２０：ガイド溝、２１：スケール、２２：基側水平パッド、２３、２４：外側側部、２５、２６：摺動部、２７：水平パッド、２８：支持部、２９：先側釣竿支持台、３０：発光塗料、３１：先側釣竿支持台、３２：基部、３３：固定台、３４：ピン、３５：凹み部、３６：突出部、３７：先側挟持部、３８：基部、３９：固定台、４０：ピン、４１：傾倒角度制御板、４２：一側部、４３：側面、４４：外側面、４５：先側垂直パッド、４６：スライドロック機構、４７、４７ａ：ラック、４８、４８ａ：凹凸部、４９、４９ａ：係止部、５０：ケーシング、５１：ばね、５２：操作部、５３、５４：外側側部、５５、５６：摺動部、５７：保持部、５８：基側釣竿支持台、５９：基部、６０：固定台、６１：ピン、６２：凹み部、６３：突出部、６４：基側挟持部、６５、６６：補強板、６７：膨らみ部、６８：内側面、６９：基側垂直パッド、７０：締結機構、７１：パッド本体、７２：パッド固定部、７３、７４：補強板、７５：傾転ロッド、７６：締め付けボルト、７７：ワッシャー、７８：止め輪、７９：雌ねじ部、８０：操作部、８１：回動軸、８２：圧縮ばね（弾性部材）、８３：補助アーム、８４：補助アーム本体、８５：取付け部、８６、８７：滑り止めパッド、８８、８９：立て掛け部、９０、９１：開口部分
【図１】
2004337103.tif 000003
【図２】
2004337103.tif 000004
【図３】
2004337103.tif 000005
【図４】
2004337103.tif 000006
【図５】
2004337103.tif 000007
【図６】
2004337103.tif 000008
【図７】
2004337103.tif 000009
【図８】
2004337103.tif 000010